(57)【特許請求の範囲】
【請求項１】
一対の支持体に、座及び背を具備する椅子本体を支持させてなるものにおいて、
前記支持体側に向けて回動軸を突設したブラケットを一対の支持体の対向面に添接させて回動可能に枢支し、前記座を前記ブラケット間に挿入して座の側部をブラケットに取着しているとともに、
前記ブラケットと座との間に、ブラケット又は座の一方に突設した突起を他方に形成した溝に挿入することによりこれら突起と溝とからなる着脱可能な係合部を形成し、該係合部を介してブラケットと座とを係合させた上で、ブラケットと座との間に係合部の係合解除を禁止する止着部を形成していることを特徴とする椅子。
【請求項２】
前記一対の支持体の対向面に、前記ブラケットの回動軸を挿入し得る凹部を設けていることを特徴とする請求項１記載の椅子。
【請求項３】
前記係合部が、ブラケットに形成した後方に開口する溝と、座の側部に支持体側に向けて突設した突起とからなることを特徴とする請求項１又は２記載の椅子。
【請求項４】
前記止着部を、座が支持体と重合しない位置に形成していることを特徴とする請求項１、２又は３記載の椅子。
【請求項５】
前記支持体が、下端を支点に回動動作し、椅子本体を倒伏姿勢又は使用姿勢に選択的に保持し得るものであることを特徴とする１、２、３又は４記載の椅子。
【請求項６】
前記椅子本体及び支持体が、移動観覧席の段床に配設されていることを特徴とする請求項５記載の椅子。
【発明の詳細な説明】
【０００１】
【発明の属する技術分野】
本発明は、一対の支持体に椅子本体を支持させた椅子に関するものである。
【０００２】
【従来の技術】
従来、一対の支持体に椅子本体を支持させた椅子において、座を支持体に枢支させる場合、座を貫通する枢支軸の両端を支持体に支持させていた。ところが、このようなものでは、枢支軸が重くなるために支持体の支持強度を必要以上に大きくする必要があり、また、枢支軸が座を貫通しているために、座の構造が複雑になったり、座り心地が損なわれるという不具合があった。そこで、このような不具合を解消するために、座の側面又は支持体の一方から比較的短い枢支軸を突出させ、他方に枢支させる構成が考えられている。
【０００３】
【発明が解決しようとする課題】
ところが、単にこのようなものであると、複数の椅子を並設し一つの支持体に隣接する座の相対向する側部を支持させる場合、先ず一対の支持体のうち一方の支持体を立設し、次いでその支持体に座の一側部を支持させてから他方の支持体を立設して座の他方の側部を支持させ、順次この手順を繰り返さなければならず、施工に多大な手間を必要とする。また、施工後に特定の椅子本体の座の張り地等を交換する場合には、端部から順次支持体及び椅子本体を分解して取り外さなければならず、その作業に多大な手間、時間、費用を要し、著しく不便である。
【０００４】
【課題を解決するための手段】
本発明は、以上のような不具合に鑑みて、簡素な手段で支持体を立設したまま任意の座の取付け及び取外しを容易に行うことができる椅子を構成することとした。
【０００５】
【発明の実施の形態】
すなわち、本発明の椅子は、一対の支持体に、座及び背を具備する椅子本体を支持させてなるものにおいて、前記支持体側に向けて回動軸を突設したブラケットを一対の支持体の対向面に添接させて回動可能に枢支し、前記座を前記ブラケット間に挿入して座の側部をブラケットに取着しているとともに、前記ブラケットと座との間に、ブラケット又は座の一方に突設した突起を他方に形成した溝に挿入することによりこれら突起と溝とからなる着脱可能な係合部を形成し、該係合部を介してブラケットと座とを係合させた上で、ブラケットと座との間に係合部の係合解除を禁止する止着部を形成していることを特徴とする。
【０００６】
このようなものであれば、座を、回動軸を貫通させることなく左右の支持体にブラケットを介して枢支し、容易にライジング動作させることができ、座り心地を損なわずに座の内部構造や側部の構造を簡素化することができる。また、全ての支持体を立設した状態でブラケットを取付け、このブラケットに座を後付けすることができるので、椅子の組み立て現場での施工が簡単になり、施工後にも任意の椅子本体の座だけを容易に取り外すことができるので、座の張り地等の交換も容易である。さらに、ブラケットと座との間に着脱可能な係合部を形成し、この係合部を介してブラケットと座とを係合させた上で、ブラケットと座との間に係合部の係合解除を禁止する止着部を形成しているので、前記座をブラケットに容易に取着し、且つ座がブラケットから簡単に抜脱し得ないようにできる。
【０００７】
前記ブラケットを、前記一対の支持体に容易に枢支させるためには、支持体の対向面に、ブラケットの回動軸を挿入し得る凹部を設けることが望ましい。
【０００８】
この場合、前記係合部を簡素な構成で形成し、しかも着脱容易なものとするためには、この係合部を、ブラケットに形成した後方に開口する溝と、座の側部に支持体側に向けて突設した突起とから構成することが有効である。
さらに、前記係合部の係合状態で、座をブラケットに容易に止着することができるようにするためには、前記止着部を、座が支持体と重合しない位置に形成することが望ましい。
【０００９】
また、座がライジング動作するだけでなく、椅子全体をコンパクトに収納し得るようにするためには、前記支持体が、下端を支点に回動動作し、椅子本体を倒伏姿勢又は使用姿勢に選択的に保持し得るものとすることが望ましい。このような場合、椅子を、椅子本体及び支持体を段床に配設した移動観覧席に適用することは、特に多数の椅子を収納或いは展開するのに極めて有効となる。
【００１０】
【実施例】
以下、本発明の一実施例を、図面を参照して説明する。
この椅子Ｃは、図１及び図２に示すように、劇場やホールあるいはスタジアム等で使用される移動観覧席Ａに適用されるものである。図１及び図２は、それぞれ展開状態Ｐ及び収納状態Ｑにある移動観覧席Ａを幅方向中央部付近で破断して概略を示す全体右断面図である。この移動観覧席Ａは、互いに高さの異なる段床２をそれぞれ前後移動可能な複数の脚構造体３により支持してなるもので、これら各段床２を図１に示すように前方に進出させて雛段状に展開した使用位置Ｐと、図２に示すように後方に退避させて重合状態で収納するようにした収納位置Ｑとの間で伸縮可能に構成してなるものである。しかして、各段床２には、ベース４上に並設された複数の支持体１と、隣接する支持体１の間に支持させた椅子本体５とからなる椅子Ｃが配設されている。
【００１１】
支持体１は、図１及び図８に示すように、前記段床２に配設したベース４上に所定間隔で立設したもので、図３、図７及び図８に示すように、アルミダイカスト材製の支持体本体１１と、該支持体本体１１の前後の縁部１１ａ、１１ｂを被覆するように配設したアルミ押出し材製の前後のカバー１２、１３とからなる。支持体本体１１の下端１１ｃは、前記ベース４に回動可能に枢支されており、この枢支点ｎを支点にして上端１１ｄ側を前後方向に回動し、支持体１が起倒動作し得るようにしている。また、一対の支持体本体１１の中間高さにおける座を取付けるべき対向面１１ｅに、本発明の凹部たるリング状の軸受１４を配設している。また、支持体本体１１の座６の取付け位置の近傍に、ダンパ取付部１５を形成している。
【００１２】
また、前記軸受１４には、図３、図４及び図７に示すように、座６を取着するためのブラケット９を枢支している。このブラケット９は、図５〜図７に示すように、略矩形状の板状部９１と、該板状部９１の略中央部から支持体１側に向けて突設した回動軸９２と、板状部９１の後端９１ｂに支持体１側に向けて突設したガイド突起９３とからなるものである。しかして、回動軸９２を予め立設した支持体１の前記軸受１４に挿入することにより、ブラケット９を支持体１の対向面１１ｅに添接させて回動可能に枢支している。また、図３及び図４に示すように、前記板状部９１の前端９１ａを支持体１の前縁部１１ａよりも前方にまで延出し、後端９１ｂに後方に開口する溝９４を形成している。さらに、図４に示すように、支持体１のダンパ取付部１５にダンパＤの基端Ｄａを回動可能に挿入するとともに、二股に分かれた先端Ｄｂにより前記ガイド突起９３を挟んで、回動軸９２を中心にブラケット９を回動する際に、その回動に応じてダンパＤが同図に矢印で示すように基端Ｄａを中心に回動して、ブラケット９の回動を緩衝するようにしている。このようなダンパＤの一例としては、オイルダンパ方式のもの等が挙げられる。
【００１３】
一方、椅子本体５は、図３に示すように、座６と、背７と、肘掛け８とから構成されている。座６は、図４及び図７に示すように、その内部で前後方向及び巾方向に亘って敷設され着座者による荷重を支持し座６を保形する板状の芯材６１と、該芯材６１の両側部に起立配置される側板６２と、芯材６１及び側板６２の周囲を囲繞するクッション材６３と、クッション材６３の外周を被覆する張り地６４とからなるものである。そして、前記側板６２の後端６２ａに２つの突起６２ｂを前後に並べて突設し、これら突起６２ｂを座６の側部６ａから支持体１側に突出させている。しかして、座６を一対のブラケット９間に挿入して、前記突起６２ｂをブラケット９に形成した溝９４に後方から挿入することにより、これら突起６２ｂと溝９４とからなる係合部Ｋを形成し、座６をブラケット９に着脱可能に係合している。さらに、この係合部Ｋを係合した状態で、支持体１の前方位置においてブラケット９の板状部９１の前端９１ａと前記側板６２とをねじＮにより止着し、このねじ止め箇所を係合部Ｋの係合解除を禁止する止着部Ｓとして、座６をブラケット９に抜脱不能に取着している。このようにしてブラケット９に取着された座６は、該ブラケット９を介して図４に実線で示す略水平な位置と、想像線で示す支持体と略平行に起立する位置との間で回動し、ライジング動作し得るようにされており、その際、前記ダンパＤの緩衝作用により急回動を防止している。
【００１４】
また、肘掛け８は、図３に示すように、下方に向けて開口を有しその開口に支持体本体１１の上端１１ｄを挿入した位置で支持体本体１１に設けた肘掛け枢支部１６に枢支させているものである。背７は、下端７ａをベース４に設けた図示しないリンク機構にリンクされ、上端７ｂを支持体１の斜め後方に延出するもので、その中間高さ位置を肘掛け８の後端８ａに枢結している。このようにして椅子本体５は、支持体１とともに座６、背７及び肘掛け８を畳み込んだ図２及び図３に想像線で示す倒伏姿勢Ｘ、又はそれらを展開した図１及び図３に実線で示す使用姿勢Ｙに保持されるように構成されている。
【００１５】
以上のような構成からなる本実施例の椅子１は、一対の支持体１側に向けてそれぞれ回動軸９２を突設したブラケット９を支持体１の対向面１１ｅに添接させて回動可能に枢支し、座６をブラケット９間に挿入して座６の側部６ａを該ブラケット９に取着しているので、ブラケット９を介して座６を容易にライジング動作させることができる。この際、回動軸９２を、座６を貫通しないようにブラケット９に突設し、座６を一対のブラケット９間に挿入しているので、座の構造を複雑化せず、また、座り心地を損なわずに座６の側部６ａの構造を簡素化することができる。また、支持体１を予め立設してからブラケット９を取付け、その後ブラケット９に座６を取着することができるようにしているので、椅子１の設置現場での施工を簡単にすることができ、また、施工後にも任意の椅子本体１の座６だけを容易に着脱することができるので、座６の張り地６４等の交換の際には非常に便利である。また、図８に示すように、支持体１を立設したまま任意の座６を着脱することができるので、必要に応じてその任意の座６を交換することも可能である。
【００１６】
また、支持体本体１１の対向面１１ｅに本発明の凹部たる軸受１４を設け、この軸受１４にブラケット９の回動軸９２を挿入しているので、ブラケット９を支持体１に容易に枢支することができる。
さらに、ブラケット９と座６との間に着脱可能な係合部Ｋと、この係合部Ｋの係合解除を禁止する止着部Ｓを形成しているので、座６をブラケット９に取着し易く抜脱し難いものとすることができる。また、座６を取り外す際には、止着部ＳのねじＮを外せば係合部Ｋの係合を解除することができるので、座６の着脱を極めて容易なものとすることができる。
【００１７】
本実施例では、特にこの係合部Ｋを、ブラケット９の後端９１ｂに後方に向けて開口した溝９４と、座６の内部の側板６２に支持体１側に向けて突設した突起６２ｂとから構成しているために、前記係合部Ｋを簡素な構成で着脱容易なものとすることができる。
さらに、前記係合部Ｋを係合した状態で、前記止着部Ｓを、座６が支持体１と重合しないように支持体１よりも前方の位置に形成しているので、座６をブラケット９に止着する作業を容易に行うことができる。
【００１８】
また、支持体１が、下端１１ｃを支点ｎに回動動作し、椅子本体５を倒伏姿勢Ｘ又は使用姿勢Ｙに選択的に保持し得るようにしているので、座６がライジング動作するのみならず、椅子１全体をコンパクトに収納することも可能である。特に、本実施例の椅子１は、椅子本体５及び支持体１を段床２に配設した移動観覧席Ａに適用したものであるので、多数の椅子１を同時に収納或いは展開するための極めて有効な構成を有したものとすることができるものである。
【００１９】
なお、前記係合部は、座に設けた突起とブラケットに設けた溝とを相互に逆の関係としたものであっても、上記実施例と同様の効果を奏する。
その他、各部の具体的構成は、上記実施例に限られるものではなく、本発明の趣旨を逸脱しない範囲で種々変形が可能である。
【００２０】
【発明の効果】
本発明は、以上説明したような形態で実施され、以下に記載されるような効果を奏する。
すなわち、本発明の椅子は、一対の支持体に椅子本体を支持させたものであって、該一対の支持体の対向面に向けて突設した回動軸を具備するブラケットを、支持体に添接させ且つ回動可能に枢支し、座をこのブラケットに取着しているので、座をブラケットを介して容易にライジング動作させることができる。この際、前記回動軸はブラケットから支持体に向けて突設したものであり、一対のブラケット同士が対向する側には何も突出させずにその間に座を挿入し取着しているので、座の側部の構造を簡素にすることができ、また、支持体を予め立設してからブラケット及び座を取付けて椅子の設置現場での施工を簡単にすることができる。さらに、施工後にも任意の椅子本体の座だけを容易に着脱することができるので、座の張り地等の交換の際には非常に便利となる。さらに、回動軸が座を貫通しないので、座り心地を損なうこともない。加えて、ブラケットと座との間に着脱可能な係合部を形成するとともに、この係合部の係合解除を禁止する止着部を形成しているので、座を、ブラケットに取着し易く抜脱し難いものとすることができる。また逆に、座を取り外す際には、止着部を開放するだけで簡単に係合部の係合を解除することができるので、座の着脱を極めて容易にすることができる。
【００２１】
また、支持体の対向面に凹部を設け、この凹部にブラケットの回動軸を挿入するようにすれば、ブラケットを支持体に容易に枢支することができる。
【００２２】
さらにまた、ブラケットに後方に向けて開口する溝を形成するとともに、座の側部に支持体側に向けて突起を突設し、これら溝と突起とで前記係合部を構成すると、着脱容易な係合部を簡素に形成することができる。
さらに、前記係合部を係合させた状態で、前記止着部を、座が支持体と重合しない位置に形成している場合には、座の取付作業時に支持体が邪魔にならず、その作業を容易に行うことができる。
【００２３】
また、支持体が、下端を支点に回動動作し、椅子本体を倒伏姿勢又は使用姿勢に選択的に保持し得るようにしている場合には、座をライジングさせるだけでなく、椅子全体をコンパクトに収納することも可能である。この場合、本発明の椅子を、椅子本体及び支持体を段床に配設した移動観覧席に適用すれば、多数の椅子を同時に収納或いは展開するための極めて有用な移動観覧席を構成することができる。
【図面の簡単な説明】
【図１】本発明を移動観覧席に適用した一実施例の使用状態を示す一部を省略した側断面図。
【図２】図１に対応した収納状態を示す側断面図。
【図３】同実施例を一部を省略して示す右側面図。
【図４】同実施例の要部を拡大して示す作用説明図。
【図５】同実施例のブラケットを拡大して示す側面図。
【図６】同平面図。
【図７】同実施例の要部を分解して示す斜視図。
【図８】図１における一段床に配設された椅子を一部を省略して示す正面図。
【符号の説明】
Ａ…移動観覧席
Ｃ…椅子
Ｋ…係合部
Ｓ…止着部
Ｘ…倒伏姿勢
Ｙ…使用姿勢
ｎ…支点（枢支点）
１…支持体
１１ｃ…下端
１１ｅ…対向面
１４…凹部（軸受）
２…段床
５…椅子本体
６…座
６ａ…側部
６２ｂ…突起
７…背
９…ブラケット
９２…回動軸
９４…溝
【図１】
0003613050.tif 000002
【図２】
0003613050.tif 000003
【図３】
0003613050.tif 000004
【図４】
0003613050.tif 000005
【図５】
0003613050.tif 000006
【図６】
0003613050.tif 000007
【図７】
0003613050.tif 000008
【図８】
0003613050.tif 000009